(57)【要約】【課題】外部配線が同じ方向に引き出されるねじ締め方式の多段端子台において、上段の配線を外すことなく下段の配線接続や配線替えを容易にする大きなドライバ挿入スペースを確保可能なねじ締め多段端子台を提供する。【解決手段】上段部の端子ブロック３は、下段部の端子ブロック４に対してピン２０の回りにブロック単位で回動可能であり、端子ブロック３に接続される外部配線と端子ブロック４に接続される外部配線とは互いに離れて且つ開いた配置となる。このような外部配線が離れ且つ開いた配置によって、ドライバは端子ブロック３に接続されている外部配線と干渉することがなく、下段端子ブロック４の上方にはねじ端子をねじ込む又はねじ戻す操作のための十分大きなドライバ挿入スペースが確保される。【選択図】図１
2010244751.tif 000002
【特許請求の範囲】
【請求項１】
外部配線を接続するための複数のねじ端子列を有する端子ブロックを高さ方向に複数段備えた端子台において、上段部の前記端子ブロックが他の段部の前記端子ブロックに対して傾斜可能な構造としたことを特徴とする多段端子台。
【請求項２】
前記上段部の端子ブロックは、前記ねじ端子列の配列方向と平行な軸線回りに傾斜可能であることを特徴とする請求項１に記載の多段端子台。
【請求項３】
前記上段部の端子ブロックは、前記ねじ端子列の配列方向と直交する軸線回りに傾斜可能であることを特徴とする請求項１に記載の多段端子台。
【請求項４】
外部配線を接続するための複数のねじ端子列を有する端子ブロックを高さ方向に複数段備えた端子台において、上段部の前記端子ブロックが前記ねじ端子列の配列方向にスライド可能な構造としたことを特徴とする多段端子台。
【請求項５】
外部配線を接続するための複数のねじ端子列を有する端子ブロックを高さ方向に複数段備えた端子台において、上段の端子に接続した外部配線と、下段の端子に接続した外部配線とが高さ方向に対してそれぞれ異なる傾斜方向に引き出される構造としたことを特徴とする多段端子台。
【請求項６】
前記外部配線が引き出される異なる前記傾斜方向の間に、ねじ端子をねじ込むドライバによるねじ込み作業に十分なスペースが見込まれる構造としたことを特徴とする請求項５に記載の多段端子台。
【請求項７】
一方の前記外部配線は前記端子台に対して斜め下方に延びており、他方の前記外部配線は前記端子台に対して斜め上方に延びており、前記両外部配線の引出し間に跨ぐ角度は９０度以上である構造としたことを特徴とする請求項６に記載の多段端子台。
【請求項８】
外部配線を接続するための複数のねじ端子列を有する端子ブロックを高さ方向に複数段備えた端子台において、各外部配線が端子固定ねじの締め込み方向と同一方向に引き出される構造としたことを特徴とする多段端子台。
【請求項９】
前記端子固定ねじにねじ係合するくさび状雌ねじ部材、前記くさび状雌ねじ部材のくさび作用で前記端子固定ねじのねじ軸と直交する方向に移動される配線押し付け部材、及び基板側電極に接続された端子ブロック電極を備えており、前記端子固定ねじのねじ込みによって前記配線押し付け部材が前記配線を前記端子ブロック電極に押し付ける構造としたことを特徴とする請求項８に記載の多段端子台。
【請求項１０】
前記配線押し付け部材は、前記端子固定ねじと同じ大きさの凸部を備えており、前記凸部が前記配線の先端部に設けられる嵌合端子に嵌合する構造としたことを特徴とする請求項９に記載の多段端子台。
【発明の詳細な説明】
【技術分野】
【０００１】
この発明は、電気機器に用いられる多段端子台に関し、特に、例えばプログラマブルコントローラの入出力信号の外部配線の接続用に使用され、全ての外部配線が同じ方向に引き出されるねじ締め方式の多段端子台に関する。
【背景技術】
【０００２】
プログラマブルコントローラは、電源、センサ、或いはインバータ装置等の各種電気機器（負荷）等との間を電線によって接続して使用されており、センサからの検出信号に基づいて内部コントローラで演算し、各種機器に制御用信号を出力する機器であり、一般的にはこれら電線の接続用の端子台を備えている。近年、プログラマブルコントローラにおいては、接続されるセンサや機器の数が増加する一方で、全体の小型化が求められてきており、端子台においても、小スペースの中で如何に数多くの端子を備えられるかが求められてきている。
【０００３】
プログラマブルコントローラや電気機器に装備される端子台には、代表的な例として、ネジ締め接続方式の端子台と押し締め接続方式の端子台がある。ねじ締め方式の端子台は、多数のねじ端子を有するとともに、全ての外部配線が同じ方向に引き出されるので、比較的狭スペース部分で使用されている。特に、ねじ端子列を高さ方向に段差を付けた構成に配置する多段端子台は、多数の端子を段状に配置することで、端子台の設置スペースを小さくしながらも配線引き回しスペースを確保できるので、広く用いられている。
【０００４】
図７は、従来の多段端子台の一例を示す斜視図である。図７に示す端子台は、外部配線（以下、「配線」と略す）１０，１１を接続するための上段部ねじ端子１及び下段部ねじ端子２は、一体端子ブロック９に上段及び下段の２段に配列されており、且つ上段と下段で配線１０，１１が上下に重なることがないようにねじ位置が所謂、千鳥状に配置されている。しかしながら、上段部の配線１０を配線した状態では、下段部の配線１１の取付けや取外しの際に、ねじ端子を回す工具としてのドライバを下段部ねじ端子２にアクセスさせようとしても、上段部の配線１０，１０間の隙間はドライバにとって十分ではなく、ドライバが配線１０に干渉し、下段部ねじ端子２まで届かない。このため、下段部の配線１１の取付けや取外しの作業は、一旦上段部の配線１０を取り外し、ドライバの挿入スペースを確保したうえで下段部ねじ端子２を操作して行っており、再度上段部の配線１０を接続し直すといった輻輳工程となっている。この結果、配線作業の効率低下を招くとともに、上段部の配線を戻す際に配線間違いを引き起こす可能性もあった。
【０００５】
外部信号線を装置側信号線に接続するために、装置に固定される端子台に関し、外部信号線の接続作業性を改善することを目的とした端子台が提案されている（特許文献１）。この端子台は、装置側に固定され、装置側信号線を接続するための接続端子が配置される端子台本体に、外部信号線を接続するためのねじ止め端子が連設される端子列部材を着脱自在に配置し、ねじ止め端子と接続端子とを着脱自在に接続可能とする端子台であり、端子列部材は、端子台本体に着脱自在に固定される固定端子列部材と、端子台本体に摺動自在に固定され、固定端子列部材に対して移動可能な摺動端子列部材とにより構成されている。外部信号線の接続時に、摺動端子列部材を端子台本体に対して摺動することにより、摺動端子列部材と固定端子列部材との間に間隙を形成することができ、摺動端子列部材に接続される圧着端子と、固定端子列部材に接続される圧着端子とを、相互に妨げることなく接続することを図っている。しかしながら、摺動端子列部材は固定端子列部材に対して配線引出し方向と平行な方向に摺動するので、隙間形成が十分でなく、摺動端子列部材を端子台本体に対して取り外しが必要になることもある。
【０００６】
絶縁壁を有する絶縁台に電線を接続する端子を備え、１段目は接続する端子の挿入方向を端子台の前面長手方向に対して斜めにし、２段目以上の端子は接続する圧着端子の挿入方向を端子台の前面長手方向に対し直角とすることにより、端子台又は端子台コネクタを同一平面に複数個並列設置して使用する場合の設置スペースを小さくすることが提案されている（特許文献２）。しかしながら、２段目以上の端子に配線が接続されている場合には、１段目の端子へのアクセスは依然として良好ではない。
【０００７】
従来のねじ締め方式の多段端子台においては、上記したように、上段部端子ブロックに配線が接続されていると、ドライバが上段部の端子に接続されている配線と干渉し、下段部端子ブロックへの配線の接続や取外し作業ができないという問題がある。それゆえ、上段部端子ブロックに配線が接続されている場合に下段部端子ブロックに配線を接続・配線替えを行うときには、一旦、上段部端子ブロックに接続されている配線を取り外してドライバの挿入スペースを確保した後に、下段部端子ブロックに配線を接続、取外し又は配線替えをするといった輻輳工程となることが避けられなかった。この結果、配線作業の効率低下を招くとともに、上段部端子ブロックに配線を戻す際に配線間違いを引き起こす可能性があるという問題があった。
【先行技術文献】
【特許文献】
【０００８】
【特許文献１】特開平１１−０９７０９２号公報
【特許文献２】特開２００１−１５１８９号公報
【発明の概要】
【発明が解決しようとする課題】
【０００９】
多段端子台においては、上記したように、小型化されればされるほど、端子への配線の接続作業性が低下する傾向にあるのは避けられない。そこで、外部配線を接続するための複数のねじ端子列を有する端子ブロックを複数段備えた多段端子台において、上段部の端子ブロックに接続される外部配線を、他の段部の端子ブロックのねじ端子に対してアクセスするドライバとの干渉を回避する配置とする又は当該配置に移行可能とする点で解決すべき課題がある。
本発明の目的は、ねじ締め方式の多段端子台において、上段部端子ブロックに接続されている配線を外すことなく下段部端子ブロックへの配線接続や配線替えを可能とし、且つスペースが狭くなりながらも、配線作業性を一層向上することができるねじ締め式多段端子台を提供することである。
【課題を解決するための手段】
【００１０】
本発明における多段端子台は、外部配線を接続するための複数のねじ端子列を有する端子ブロックを高さ方向に複数段備えた端子台であって、上段部の前記端子ブロックが他の段部の前記端子ブロックに対して傾斜可能な構造としたことを特徴とする。
上段部の前記端子ブロックが傾斜可能な構造としては、前記上段部の端子ブロックを、前記ねじ端子列の配列方向と平行な軸線回りに傾斜可能、或いは前記上段部の端子ブロックを、前記ねじ端子列の配列方向と直交する軸線回りに傾斜可能とすることができる。
上段部の端子ブロックを傾斜可能な構造とすることで、上段部の端子ブロックは他の段部の端子ブロックに対してブロック単位でずれた配置に移行し、上段部の端子ブロックに接続される外部配線と他の段部の端子ブロックに接続される外部配線とは互いに離れて且つ開いた配置となる。このような外部配線が離れ且つ開いた配置によって、下段端子ブロックの上方には他の段部端子ブロックのねじ端子をねじ込む又はねじ戻す操作のためのドライバの挿入スペースが確保され、ドライバは上段部の端子ブロックに接続されている外部配線と干渉することがない。
【００１１】
また、本発明における多段端子台は、外部配線を接続するための複数のねじ端子列を有する端子ブロックを高さ方向に複数段備えた端子台において、上段部の前記端子ブロックが前記ねじ端子列の配列方向にスライド可能な構造としたことを特徴とする。上段部の端子ブロックを長手方向、即ち、ねじ端子列の配列方向にスライドする構造とすることで、上段部の端子ブロックは他の段部の端子ブロックに対してブロック単位でずれた配置に移行し、上段部の端子ブロックに接続される外部配線は他の段部の端子ブロックに接続される外部配線対して配線方向は同じでも両外部配線は離れて且つ開いた配置となる。こうした外部配線の配置によって、上段部の端子ブロックを傾斜可能な構造とする上記の場合と同様、上段の配線を外すことなく、下段部の端子ブロックの上方にドライバ挿入スペースが確保され、ドライバは上段端子ブロックに接続されている外部配線と干渉することがない。
【００１２】
また、本発明における多段端子台は、外部配線を接続するための複数のねじ端子列を有する端子ブロックを高さ方向に複数段備えた端子台において、上段の端子に接続した外部配線と、下段の端子に接続した外部配線とが高さ方向に対してそれぞれ異なる傾斜方向に引き出される構造としたことを特徴とする。
この場合、前記外部配線が引き出される異なる前記傾斜方向の間に、ねじ端子をねじ込むドライバによるねじ込み作業に十分なスペースが見込まれる構造とすることができる。また、一方の前記外部配線は前記端子台に対して斜め下方に延びており、他方の前記外部配線は前記端子台に対して斜め上方に延びており、前記両外部配線の引出し間に跨ぐ角度は９０度以上である構造とすることができる。
配線引き出し方向を高さ方向に対してそれぞれ異なる傾斜方向に引き出す構造とすることにより、上段部の端子ブロックは他の段部の端子ブロックに対してブロック単位でずれた配置となっており、上段部の端子ブロックに接続される外部配線は他の段部の端子ブロックに接続される外部配線に対して離れて且つ開いた配置となっている。この外部配線の配置によって、上段部の端子ブロックを傾斜可能な構造とする上記の場合と同様、上段の配線を外すことなく、下段部の端子ブロックの上方にドライバ挿入スペースが確保され、ドライバは上段部端子ブロックに接続されている外部配線と干渉することがない。
【００１３】
また、本発明における多段端子台は、外部配線を接続するための複数のねじ端子列を有する端子ブロックを高さ方向に複数段備えた端子台において、各外部配線が端子固定ねじの締め込み方向と同一方向に引き出される構造としたことを特徴とする。
この場合、前記端子固定ねじにねじ係合するくさび状雌ねじ部材、前記くさび状雌ねじ部材のくさび作用で前記端子固定ねじのねじ軸と直交する方向に移動される配線押し付け部材、及び基板側電極に接続された端子ブロック電極を備えており、前記端子固定ねじのねじ込みによって前記配線押し付け部材が前記配線を前記端子ブロック電極に押し付ける構造とすることができる。また、前記配線押し付け部材は、前記端子固定ねじと同じ大きさの凸部を備えており、前記凸部が前記配線の先端部に設けられる嵌合端子に嵌合する構造とすることができる。
各外部配線を端子固定ねじの締め込み方向と同一方向に引き出す構造とすることにより、上段の配線を外すことなく、下段の端子ブロックのドライバアクセス方向手前側にはドライバ挿入スペースが確保され、ドライバは上段部端子ブロックに接続されている外部配線と干渉することがない。
【発明の効果】
【００１４】
本発明による多段端子台は、上記のように構成されているので、上段部端子ブロックに接続されている外部配線を外すことなく、且つ下段の端子ブロックの上方、或いはドライバアクセス方向手前側にはドライバ挿入スペースが確保され、配線作業の際に端子固定ねじの締め込み等の操作のためのドライバが上段部端子ブロックに接続されている外部配線と干渉することなく、当該ドライバによって他の段部端子ブロックのねじ端子列にアクセスして端子固定ねじを締め込む或いはねじ戻す操作ができ、外部配線の下段部端子ブロックへの配線接続や配線替えが可能となり、配線作業の効率を向上させることができる。また、上段部端子ブロックに接続されている配線を外すことがないので、上段部端子ブロックに接続される配線の取外し・再接続の際に生じる可能性がある配線間違いを未然に防止するという効果を奏することができる。
【図面の簡単な説明】
【００１５】
【図１】本発明による多段端子台の第１実施例を示す斜視図である。
【図２】本発明による多段端子台の第２実施例を示す斜視図である。
【図３】本発明による多段端子台の第３実施例を示す斜視図である。
【図４】本発明による多段端子台の第４実施例を示す斜視図である。
【図５】本発明による多段端子台の第５実施例を示す断面図である。
【図６】本発明による多段端子台の参考例を示す断面図である。
【図７】従来の多段端子台の例を示す斜視図である。
【発明を実施するための形態】
【００１６】
以下、図面を参照して、本発明による多段端子台の実施の形態を実施例に従って詳細に説明する。
【００１７】
まず、本発明による多段端子台の実施例を説明するに際しての参考例を、斜視図である図６に基づいて説明する。図６に示す多段端子台は、外部配線を接続するための複数の上段部ねじ端子１を有する上段端子ブロック３、下段部ねじ端子２を有する下段端子ブロック４、及び高さ方向に段差を備えた端子台座５を備えている。上段端子ブロック３は端子台座５の高い方の台座部５ａに対して、下段端子ブロック４は端子台座５の低い方の台座部５ｂに対して、それぞれ、固定と取外しとがそれぞれ可能な構造となっている。上段端子ブロック３及び下段端子ブロック４は、それぞれ長手方向両端部において固定ねじ６，６によって固定される。
【００１８】
上段端子ブロック３及び下段端子ブロック４をそれぞれ端子台座５に設置した状態では、複数の上段部ねじ端子１及び下段部ねじ端子２は、それぞれ個別に、端子台座５に設けられている端子台電極部７に電気的に接続され、各端子台電極部７から端子台座５の下部に延びる基板側電極８を介して、プリント基板に電気的に接続される。上段部ねじ端子１及び下段部ねじ端子２における接続構造は、周知の構造である。即ち、図６には詳細には図示しないが、端子ねじであるビスを締付台座に対して弛める又は抜き取った後に、その弛め又は抜取りによって形成されたキャビティに外部配線のＵ字形端子又はリング形端子を挿入し、その状態でビスを締付台座にねじ込むことによって、ビスの頭部と締付台座との間にＵ字形端子又はリング形端子が挟み込まれて締め付け固定される。
【００１９】
この参考例によれば、上段部ねじ端子１に外部配線を接続した後でも、端子台座５から上段端子ブロック３をブロックごと取り外すことで、上段部ねじ端子１に接続された配線を外すことなく、また上段部ねじ端子１に接続された外部配線にドライバが干渉することなく、下段部ねじ端子２に対して配線接続や配線替え配線を行うことが可能となる。上段部ねじ端子１への配線取外しと再接続の輻輳工程が避けられるとともに、上段部ねじ端子１への配線を戻す際に配線間違いを引き起こす可能性がなくなる。
【００２０】
上記の例では、上段部ねじ端子１と下段部ねじ端子２との両方を端子台座５に対して取外し自在に固定したが、上段端子ブロック３のみを端子台座５に対して取外し自在に固定することでも、同様の効果を期待できる。即ち、上段端子ブロック３を端子台座５から取り外せば、端子台座５に固定された下段端子ブロック４が表に現れるので、下段端子ブロック４において、各下段部ねじ端子２に対してドライバによる配線接続や配線替えが可能である。この例では、上段端子ブロック３と下段端子ブロック４とを端子台座５に対して取外し自在に固定し、且つ上段端子ブロック３及び下段端子ブロック４を同一形状とすることで、上下段配線後において、上段と下段の配線を入れ替えることも可能になる。
【実施例１】
【００２１】
図１は、本発明による多段端子台の第１実施例を示す斜視図である。図１に示すように、下段端子ブロック４は、その長手方向両端において固定ねじ６，６によって端子台座５にねじ止めされている。下段端子ブロック４は、配線引き出し方向１２の後方に、上段端子ブロック３のための基部４ａが一体的に形成されており、上段端子ブロック３は、基部４ａに対して、配線引き出し方向１２で見て背面側に倒れるように、傾斜可能な構造になっている。即ち、上段端子ブロック３は、その上段部ねじ端子１が並ぶ長手方向の両端部において、当該長手方向に延びる同一軸線上に配置されているピン（又は軸；一端部側のピンのみ示す）２０の回りに回動可能である。
【００２２】
上段端子ブロック３は、ピン２０の回りでの回動によって基部４ａ上の位置を占めるときには、基部４ａとの間に隙間がないように載せられた状態となる。また、上段端子ブロック３が基部４ａ上に載せられた状態では、上段端子ブロック３を貫通させた図示しない固定ねじを、基部４ａに形成されているねじ穴２１にねじ込むことによって、上段端子ブロック３をピン２０の回り回動しないように下段端子ブロック４に対して固定することができる。
【００２３】
下段端子ブロック４の基部４ａには、各上段部ねじ端子１に対応して、上段端子ブロック３がピン２０の回りで回動するときに上段部ねじ端子１に接続された電極が入り込んで接続可能なスリット状の端子台電極部２２が後方側に開く態様で形成されている。上段端子ブロック３が下段端子ブロック４上に載置される回動位置では、上段部ねじ端子１に接続された電極が端子台座５に設けられている端子台電極部２２を挟み込むか或いは端子台電極部２２に嵌まり込むなどして電気的に接続される。図示のように、上段端子ブロック３がピン２０の回りに後方に回動されているときには、電極と端子台電極部２２との接続は切断されている。その他の構成は、図６に示す参考例や図８に示す従来図に示す構造と同等であるので、再度の説明を省略する。
【００２４】
第１実施によれば、下段端子ブロック４の下段部ねじ端子２に配線接続を行う際には、上段端子ブロック３を図示のようにピン２０の回りに背面側に倒すことで、上段端子ブロック３は下段端子ブロック４に対してずれた配置に移行する。この配置では、上段端子ブロック３に接続される配線の配線方向は上向きとなり、下段端子ブロック４の下段部ねじ端子２をねじ込む又はねじ戻す操作のためのドライバのアクセス方向と平行な方向となる。両外部配線は互いに離れて且つ開いた配置となり、両配線間には下段端子ブロック４の下段部ねじ端子２にアクセスするドライバの挿入スペースが確保され、しかも、ドライバは上段部端子ブロック３に接続されている外部配線と干渉することがない。
【００２５】
したがって、上段端子ブロック３を端子台座５（下段端子ブロック４の基部４ａ）から完全に取り外すことなく、また、上段端子ブロック３に接続された配線に干渉することなく、ドライバの挿入スペースを確保することができ、下段端子ブロック４の下段部ねじ端子２に対してドライバによる配線作業をすることができる。更に、上段端子ブロック３は、端子台座５と完全に分離されることはないので、ピン２０の回りに前面側に回動させることによって、元の配線状態にも直ちに戻すことができる。
【実施例２】
【００２６】
図２は、本発明による多段端子台の第２実施例を示す斜視図である。図２に示すように、第２実施例では、上段端子ブロック３が長手方向（上段部ねじ端子１の配列方向）に開閉可能な構造とされている。即ち、上段端子ブロック３は、その長手方向の一方の端部において、下段端子ブロック４の基部４ａに対して、その長手方向に交差する配線引出し方向１２に平行に延びるピン３０の回りに回動可能に装着されている。上段端子ブロック３の長手方向の他方の端部には、固定ねじ３２が設けられている。上段端子ブロック３を図２に示す状態から倒して基部４ａ上に載置するときには、固定ねじ３２を基部４ａに形成されているねじ穴３１にねじ込むことによって、上段端子ブロック３を下段端子ブロック４に固定することができる。また、基部４ａには、図６に示した例と同様の態様で、端子台電極部７が設けられており、図２に示すように撥ね上げた状態では電気的接続は切断されており、基部４ａ上に倒して載置した状態では上段部ねじ端子１は端子台電極部７と電気的に接続される。
【００２７】
上段端子ブロック３をピン３０の回りに回動させて撥ね上げた図２に示す状態にするときには、上段端子ブロック３は下段端子ブロック４に対してブロックごとずれた配置に移行し、上段端子ブロック３に接続されている外部配線の配線方向は、下段端子ブロック４に接続されている外部配線とは、互いに離れて且つ開いた配置となる。この開いた配置によって、両外部配線間には下段端子ブロック４の下段側ねじ端子２をねじ込む又はねじ戻す操作のためのドライバの挿入スペースが確保され、上段端子ブロック３の配線を外すことなく、且つ上段部端子ブロックに接続されている外部配線と干渉することがない。
【００２８】
したがって、上段端子ブロック３を端子台座５（下段端子ブロック４の基部４ａ）から完全に取り外すことなく、また、下段端子ブロック４の上方にドライバの挿入スペースを確保することができ、ドライバが上段端子ブロック３に接続された配線に干渉することなく下段端子ブロック４の下段部ねじ端子２に対してドライバによる配線作業をすることができる。更に、上段端子ブロック３は、端子台座５と完全に分離されることはないので、ピン３０の回りに前面側に回動させることによって、元の配線状態にも直ちに戻すことができる。上段端子ブロック３をピン３０の回りに倒すことにより、上段部ねじ端子１は、それぞれ個別に、端子台座５に設けられている端子台電極部７に電気的に接続される。
【実施例３】
【００２９】
図３は、本発明による多段端子台の第３実施例を示す斜視図である。第３実施例では、上段側端子ブロック３が、下段端子ブロック４に対して、長手方向（上段部ねじ端子１の配列方向）にスライド可能な構造になっている。即ち、下段端子ブロック４の基部４ａにはその長手方向にレール４ｂが形成されており、上段端子ブロック３は、凸条部４０がレール４ｂに嵌合することでレール４ｂに沿ってスライド可能となっている。図示の状態は上段端子ブロック３が途中までスライドした状態を示している。上段端子ブロック３を下段端子ブロック４と揃えた状態で、固定ねじ４２を基部４ａに形成されているねじ穴４１に係合させることで上段端子ブロック３の位置を固定することができる。
【００３０】
下段端子ブロック４への配線接続を行う際には、上段端子ブロック３をスライドすることで、上段端子ブロック３は下段端子ブロック４に対してブロック単位でずれた配置に移行する。このとき、上段端子ブロック３に接続される外部配線は、下段端子ブロック４に接続される外部配線対して配線方向は同じでも両外部配線は離れて且つ開いた配置となる。こうした外部配線の配置によって、上段端子ブロック３を傾斜可能な構造とする上記の場合と同様、上段端子ブロック３に接続されている配線を外すことなく、下段部ねじ端子２上には配線接続のためのドライバ挿入スペースを確保することができ、ドライバは、上段端子ブロック３に接続されている配線と干渉することなく、下段端子ブロク４側の配線作業を行うことができる。
【実施例４】
【００３１】
図４は、本発明による多段端子台の第４実施例を示す断面図である。一体端子ブロック９の上段端子ブロックとなる側の配線１０と、下段端子ブロックとなる側の配線１１とは、高さ方向に対してそれぞれ異なる傾斜方向に引き出される構造となっている。即ち、上段部の配線１０は斜め上方向に引き出され、下段部の配線１１は斜め下方向に引き出されており、両配線１０，１１の引出し間に跨ぐ角度は９０度以上である。配線の引出し高さ状態から見て、配線１０を上側とし、配線１１を下側とする。
【００３２】
上段端子ブロック９ａは下段端子ブロック９ｂに対してブロック単位でずれた配置となっており、上段端子ブロック９ａに接続される配線１０は下段端子ブロック９ｂに接続される配線１１に対して離れて且つ開いた配置となっている。この配線１０，１１の配置によって、上段端子ブロック９ａを傾斜可能な構造とする上記の場合と同様、上段端子ブロック９ａの配線１１を外すことなく、下段端子ブロック９ｂの上方（下段部ねじ端子２へのドライバアクセス方向手前側）にドライバ挿入スペースが確保され、ドライバは上段端子ブロック９ａに接続されている配線１０と干渉することがない。
【００３３】
配線１０，１１が引き出される異なる傾斜方向の間において、下段端子ブロックの配線１１の接続を行う下段部ねじ端子２のドライバアクセス方向手前側には、十分なドライバ挿入スペースを確保することができ、上段部の配線１０に干渉することなく下段部の配線１１のドライバによる配線作業を行うことができる。
【実施例５】
【００３４】
図５は本発明による多段端子台の第５実施例を示す断面図である。第５実施例では、上段部ねじ端子１及び下段部ねじ端子２のねじ締め込み方向と同一方向に上段部の配線１０及び下段部の配線１１を引き出す構造となっている。即ち、上段部の配線１０（下段部の配線１１）をそれぞれ所定の位置に差込み、上段部ねじ端子１（下段部ねじ端子２）のねじを締めることで、周囲に対して回転を拘束されているくさび形状のめねじ部材１３が上方に引き上げられ、そのくさび形状部分と相対するくさび形状を有する配線押し付け部材１４によって上段部の配線１０（下段部の配線１１）の圧着端子を端子ブロック電極１５に押し付け、固定される。また、配線押し付け部材１４にはねじ外形と同じ径の円筒形の突起１６を設けてあり、従来のねじ座面にて圧着端子を挟み込む形態と同様にリング形圧着端子のリング部に嵌入させることにより、リング形圧着端子の抜け防止が図れる。このような構造とすることで、下段部の配線１１の接続を行うために下段部ねじ端子２をねじ込む・ねじ戻すドライバに対して、下段部ねじ端子２の上方に十分なドライバの挿入スペースを確保することができ、上段部の配線１０に干渉することなく下段部の配線１１の配線作業が行える。
【００３５】
なお、第１実施例乃至第５実施例のいずれの実施例においても端子ブロック（上段端子ブロック３及び下段端子ブロック４若しくは一体端子ブロック９）は、端子ブロック単位で着脱可能な構造となっており、端子ブロック固定ねじ６で端子台座５に固定される。このように端子ブロック単位で着脱可能な構造とすることで、従来の端子台の利点である配線をねじ端子から取り外さずに、プリント基板などの交換が可能な着脱端子台の機能は保たれる。
【産業上の利用可能性】
【００３６】
この発明は、例えばプログラマブルコントローラの入出力信号の外部配線の接続用などの狭スペース部分に多数のねじ端子を有し、全ての外部配線が同じ方向に引き出されるねじ締め多段端子台に対して配線作業の効率向上を図ることができる。
【符号の説明】
【００３７】
１  上段部ねじ端子                      ２  下段部ねじ端子
３  上段端子ブロック
４  下段端子ブロック      ４ａ  基部          ４ｂ  レール
５  端子台座              ５ａ  台座部        ５ｂ  台座部
６  固定ねじ
７  端子台電極部                        ８  基板側電極
９  一体端子ブロック        ９ａ  上段端子ブロック    ９ｂ  下段端子ブロック
１０  上段部の配線
１１  下段部の配線                      １２  配線引き出し方向
１３  くさび形状のめねじ部材            １４  配線押し付け部材
１５  端子ブロック電極                  １６  円筒形の突起
２０  ピン                  ２１  ねじ穴        ２２  端子台電極部
３０  ピン                  ３１  ねじ穴        ３２  固定ねじ
４０  凸条部                ４１  ねじ穴        ４２  固定ねじ
【図１】
2010244751.tif 000003
【図２】
2010244751.tif 000004
【図３】
2010244751.tif 000005
【図４】
2010244751.tif 000006
【図５】
2010244751.tif 000007
【図６】
2010244751.tif 000008
【図７】
2010244751.tif 000009